【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
２つ以上の無線通信路を用いて通信可能な無線通信端末と当該無線通信端末に通信サービスを提供するための処理を実行可能な処理実行装置とが通信するための１つ以上の無線通信路を選択する通信路選択部と、
複数の無線通信路が選択された場合に、選択された前記複数の無線通信路に対応する少なくとも１つの処理実行装置と、前記無線通信端末との間で、前記複数の無線通信路を用いて互いに通信するように設定させる通信設定制御部と、
を備える通信制御装置。
【請求項２】
前記通信路選択部は、前記無線通信端末と接続し得る１つ以上のアクセスポイント候補を選択し、当該１つ以上のアクセスポイント候補と前記無線通信端末との間の１つ以上の無線通信路候補から、前記１つ以上の無線通信路を選択する、請求項１に記載の通信制御装置。
【請求項３】
前記通信路選択部は、前記１つ以上の無線通信路候補の任意の組合せのうちの優先度がより高い無線通信路候補の組合せに含まれる無線通信路を、前記１つ以上の無線通信路として選択する、請求項２に記載の通信制御装置。
【請求項４】
前記優先度は、前記無線通信路候補の各組合せに含まれる無線通信路候補に対応する無線通信方式の組合せについての優先度である、請求項３に記載の通信制御装置。
【請求項５】
前記優先度は、通信サービス毎に予め定められる、請求項４に記載の通信制御装置。
【請求項６】
前記通信路選択部は、前記１つ以上の無線通信路候補のうちの所定の通信品質を満たす無線通信路候補から、前記１つ以上の無線通信路を選択する、請求項２から５のいずれか１項に記載の通信制御装置。
【請求項７】
前記通信路選択部は、前記所定の通信品質を満たす無線通信路候補の全てを、前記１つ以上の無線通信路として選択する、請求項６に記載の通信制御装置。
【請求項８】
前記通信設定制御部は、前記複数の無線通信路を用いて通信するための無線通信端末用のソフトウェアもしくはソフトウェア設定情報を前記無線通信端末に提供し、または、前記複数の無線通信路を用いて通信するための処理実行装置用のソフトウェアもしくはソフトウェア設定情報を前記少なくとも１つの処理実行装置に提供する、請求項１から７のいずれか１項に記載の通信制御装置。
【請求項９】
前記通信設定制御部は、前記複数の無線通信路を用いて送信される、通信サービスに関するデータのうちの、当該複数の無線通信路の各々を用いて送信されるデータの範囲を、前記無線通信端末に設定させ、
前記データの範囲は、通信サービスに応じて予め定められている、
請求項１から８のいずれか１項に記載の通信制御装置。
【請求項１０】
前記通信路選択部および前記通信設定制御部は、設定されている無線通信路の一部または全部を変更する必要があると判定された場合に、１つ以上の無線通信路を選択する選択処理と、当該１つ以上の無線通信路を用いて通信するように設定させる設定制御処理とを再度実行する、請求項１から９のいずれか１項に記載の通信制御装置。
【請求項１１】
設定されている無線通信路の通信品質の測定結果に基づいて、当該設定されている無線通信路の一部または全部を変更する必要があるか否かを判定する変更判定部をさらに備える、請求項１０に記載の通信制御装置。
【請求項１２】
前記通信路選択部および前記通信設定制御部は、前記無線通信端末または前記少なくとも１つの処理実行装置により、設定されている無線通信路の一部または全部を変更する必要があるという判定結果が提供された場合に、前記選択処理と前記設定制御処理とを再度実行する、請求項１０に記載の通信制御装置。
【請求項１３】
２つ以上の無線通信路を用いて通信可能な通信部と、
通信サービスを提供するための処理を実行可能な処理実行装置と通信するための１つ以上の無線通信路を選択する通信制御装置から、複数の無線通信路を用いて当該複数の無線通信路に対応する少なくとも１つの処理実行装置と互いに通信するように設定することを求める指示が受信された場合に、前記複数の無線通信路を用いて前記少なくとも１つの処理実行装置と互いに通信するように設定する通信設定部と、
を備える無線通信端末。
【請求項１４】
２つ以上の無線通信路を用いて通信可能な無線通信端末に通信サービスを提供するための処理を実行する処理実行部と、
前記無線通信端末と通信するための１つ以上の無線通信路を選択する通信制御装置と通信する通信部と、
前記通信制御装置により選択された複数の無線通信路のうちの自装置に対応する少なくとも１つの無線通信路を用いて前記無線通信端末と互いに通信するように設定することを求める指示が前記通信制御装置から受信された場合に、当該少なくとも１つの無線通信路を用いて前記無線通信端末と互いに通信するように設定する通信設定部と、
を備える処理実行装置。
【請求項１５】
２つ以上の無線通信路を用いて通信可能な無線通信端末と、
当該無線通信端末に通信サービスを提供するための処理を実行可能な１つ以上の処理実行装置と、
前記無線通信端末と前記処理実行装置とが通信するための１つ以上の無線通信路を選択する通信制御装置と、
を含み、
前記通信制御装置が複数の無線通信路を選択した場合に、選択された前記複数の無線通信路に対応する少なくとも１つの処理実行装置と、前記無線通信端末とは、前記複数の無線通信路を用いて互いに通信するように設定する、
通信システム。
【請求項１６】
２つ以上の無線通信路を用いて通信可能な無線通信端末と当該無線通信端末に通信サービスを提供するための処理を実行可能な処理実行装置との通信を制御する通信制御装置において、
前記無線通信端末と前記処理実行装置とが通信するための１つ以上の無線通信路を選択するステップと、
複数の無線通信路が選択された場合に、選択された前記複数の無線通信路に対応する少なくとも１つの処理実行装置と、前記無線通信端末との間で、前記複数の無線通信路を用いて互いに通信するように設定させるステップと、
を含む通信制御方法。
【手続補正２】
【補正対象書類名】明細書
【補正対象項目名】００４８
【補正方法】変更
【補正の内容】
【００４８】
より具体的には、通信設定制御部１７０は、例えば、上記複数の無線通信路を用いて通信するための無線通信端末用のソフトウェア設定情報を無線通信端末２００に提供する。また、通信設定制御部１７０は、例えば、上記複数の無線通信路を用いて通信するための処理実行装置用のソフトウェア設定情報を処理実行装置４００および６００に提供する。通信設定制御部１７０は、無線通信端末２００からの通信サービスの要求に伴い受信された通信サービスのサービスＩＤを取得する。そして、通信設定制御部１７０は、当該サービスＩＤと、上記複数の無線通信路に対応する無線通信方式の組合せとに基づいて、設定テーブル１３６から、無線通信端末用のソフトウェア設定情報のＩＤおよび処理実行装置用のソフトウェア設定情報のＩＤを特定する。図７を参照すると、例えば、サービスＩＤが映像配信のＳ２であり、無線通信方式の組合せがＷＣＤＭＡ、ＩＥＥＥ  ８０２．１１ａおよびＩＥＥＥ  ８０２．１１ｇであれば、無線通信端末用のソフトウェア設定情報のＩＤは、Ｔ００１＿１８である。また、処理実行装置用のソフトウェア設定情報のＩＤは、Ｐ００１＿１８である。通信設定制御部１７０は、無線通信端末用のソフトウェア設定情報のＩＤおよび処理実行装置用のソフトウェア設定情報のＩＤに基づいて、設定情報記憶部１４４から、無線通信端末用のソフトウェア設定情報および処理実行装置用のソフトウェア設定情報を取得する。このように、ソフトウェア設定情報が提供されることで、無線通信端末２００並びに処理実行装置４００および６００は、各通信サービスについて無線通信方式の組合せ毎のソフトウェア設定情報を予め有しなくても、必要に応じて取得することができる。なお、無線通信端末２００または処理実行装置４００および６００が、予めソフトウェア設定情報を有している場合には、通信設定制御部１７０は、無線通信端末用のソフトウェア設定情報または処理実行装置用のソフトウェア設定情報を提供しなくてもよい。その場合には、通信設定制御部１７０は、無線通信端末用のソフトウェア設定情報のＩＤまたは処理実行装置用のソフトウェア設定情報のＩＤのみを提供すればよい。また、通信設定制御部１７０は、ソフトウェア設定情報の代わりに、既に設定済のソフトウェアそのものを提供してもよい。
【手続補正３】
【補正対象書類名】明細書
【補正対象項目名】００４９
【補正方法】変更
【補正の内容】
【００４９】
通信設定制御部１７０は、上記複数の無線通信路を用いて送信される、通信サービスに関するデータのうちの、当該複数の無線通信路の各々を用いて送信されるデータの範囲を、無線通信端末２００に設定させる。当該データの範囲は、通信サービスに応じて予め定められている。具体的には、通信設定制御部１７０は、例えば、上記のように設定させる無線通信端末用のソフトウェア設定情報を、無線通信端末２００に提供する。図７を参照すると、設定テーブル１３６には、各通信サービスについて通信方式の組合せ毎に通信データの種別毎の振分け方針が定められており、当該振分け方針に対応する無線通信端末用のソフトウェア設定情報のＩＤが記憶されている。図７を参照すると、例えば、番号１８の「ＷＣＤＭＡ、ＩＥＥＥ  ８０２．１１ａ、ＩＥＥＥ  ８０２．１１ｇ」という無線通信方式の組合せについての通信データの種別毎の振分け方針が示されている。当該方針によると、音声データと低周波成分の映像データは、ＷＣＤＭＡの無線通信路を用いて送信される。また、高周波成分の映像データは、ＩＥＥＥ  ８０２．１１ａの無線通信路およびＩＥＥＥ  ８０２．１１ｇの無線通信路を用いて送信される。このような通信データの振分けにより、無線通信端末２００が移動する状況でも、継続的に通信可能なＷＣＤＭＡの無線通信路を用いて、通信サービス上最低限必要なデータを継続的に受信できる。また、接続可能な場合にのみ無線ＬＡＮを用いて、容量の大きいデータも併せて受信することができる。これにより、無線通信端末２００が移動する状況でも、ユーザにとって許容可能な最低限のサービス品質を担保することができる。このように、無線通信路の各々を用いて送信されるデータの種別を設定させることにより、通信サービスの利用形態や特性に応じた通信を実現することができ、その結果、ユーザにとってのサービス品質を向上させることができる。
【手続補正４】
【補正対象書類名】明細書
【補正対象項目名】００５０
【補正方法】変更
【補正の内容】
【００５０】
また、通信設定制御部１７０は、例えば、通信サービスを提供するために処理実行装置により実行される処理実行装置用のソフトウェアを、処理実行装置４００および６００に提供する。また、通信設定制御部１７０は、例えば、通信サービスについて無線通信端末２００により実行される無線通信端末用のソフトウェアを、無線通信端末２００に提供する。また、通信設定制御部１７０は、選択された複数の無線通信路を用いて通信するための無線通信端末用のデバイスドライバまたは処理実行装置用のデバイスドライバを、無線通信端末２００または、処理実行装置４００もしくは６００に提供してもよい。これらのソフトウェアは、通信サービスのサービスＩＤを用いてソフトウェア記憶部１４２から取得される。このように、ソフトウェアが提供されることで、無線通信端末２００並びに処理実行装置４００および６００は、各通信サービスについてのソフトウェアを予め有していなくても、必要に応じて取得することができる。
【手続補正５】
【補正対象書類名】明細書
【補正対象項目名】００６８
【補正方法】変更
【補正の内容】
【００６８】
（端末入出力部２５２）
端末入出力部２５２は、無線通信端末２００のユーザに音声、画像、映像等の情報を提供する。端末入出力部２５２は、例えば、無線通信端末２００に設けられたタッチパネル上に、中央制御部２５０により提供された画像を表示してもよい。例えば、後述のＩＤ読込み制御部２９０により読み込まれた通信サービスのＩＤ、当該通信サービスの名称および当該通信サービス説明を一覧として示す画像を、タッチパネル上に表示してもよい。なお、端末入出力部２５２は、タッチパネルの代わりに、任意のディスプレイ装置上に画像を表示してもよい。
【手続補正６】
【補正対象書類名】明細書
【補正対象項目名】００７１
【補正方法】変更
【補正の内容】
【００７１】
（省電力制御部２６０）
省電力制御部２６０は、無線通信端末２００の消費電力を低減するための制御を行う。
例えば、省電力制御部２６０は、ユーザによる入力操作に応じて、または予め定められた条件に従って自動的に、通常モードおよび省電力モードの切替えを行う。無線通信端末２００は、省電力モードの場合に、通信制御装置１００からの指示に関わらず、例えば１つの無線通信路のみを用いて通信するように設定されてもよい。